(57)【要約】      （修正有）【課題】長時間使用しても耳に不快感を与えない携帯電話用音導式イヤホンを提供する。【解決手段】携帯電話用音導式イヤホンに関し、該イヤホンは主に、本体３、発声ユニット４、音導管５、及び耳栓部分６を含む。そのうち、発声ユニットは音声を発し、音声は中空の音導管を経て伝えられ、最後に耳栓部分より発せられる。音導管と耳栓部分は何れも中空の軟性材料によって製作されるため、柔軟性、快適性、軽量材質等の長所を有し、長時間耳に使用しても不快感を感じさせない。【選択図】図１
0003180011.tif 000002
【実用新案登録請求の範囲】
【請求項１】
音声を発する発声ユニットに接続する電子回路ユニットを内部に備える本体と、
発声ユニットにより生じた音波をもう一方の相対する一端に伝え、一端と発声ユニットを接続し、中空管体である音導管と、
音声出口となり、音導管の末端に接続し、中空構造である耳栓部分とを含むことを特徴とする携帯電話用音導式イヤホン。
【請求項２】
前記音導管と耳栓部分は軟性材料を用い、音導管の材質は、シリカゲル、ラバー、プラスチックの内の何れか一つとし、耳栓部分の材質もまた、シリカゲル、ラバー、プラスチックの内の何れか一つとすることを特徴とする請求項１に記載の携帯電話用音導式イヤホン。
【請求項３】
前記発声ユニットと音導管間に設ける螺旋管は中空状であることを特徴とする請求項１に記載の携帯電話用音導式イヤホン。
【請求項４】
前記発声ユニットと音導管間に設ける直管は中空状であることを特徴とする請求項１に記載の携帯電話用音導式イヤホン。
【請求項５】
前記螺旋管、直管、音導管、耳栓部分の内の何れか一つの内側面に、反射材料を塗布することを特徴とする請求項３或いは４に記載の携帯電話用音導式イヤホン。
【請求項６】
前記電子回路ユニットは、音声受信ユニット、ボタン、コードレス送受信ユニット、及び信号線に接続し、該信号線の前端にはプラグを接続することを特徴とする請求項１に記載の携帯電話用音導式イヤホン。
【考案の詳細な説明】
【技術分野】
【０００１】
本考案は、イヤホンに関し、特に、先ず発声ユニットによって発せられ、音導管を介して伝えられた音波が、最後に耳栓部分から発せられる携帯電話用音導式イヤホンに係る。
【背景技術】
【０００２】
即刻連絡を取りたいというニーズに応じて、携帯電話はすでに多くの現代人が随時携帯する基本物品の一つとなった。携帯電話を手に持って電話を聞いたり掛けたりするのは便利であるが、多数の研究により、携帯電話の電磁波が脳の癌等病変を引き起こす可能性が非常に高いことが発見され、例えば車の運転中等の多くの場合においても手に持って携帯電話を使用することが不適当であるとされた。よって、一般に携帯電話を購入する場合には、メーカーの多くがイヤホンを付属している。しかし、伝統的なイヤホンは短時間の使用には便利であるが、イヤホンの耳栓部分の内部が硬質構造であり、加えて耳栓部分には相当な重量があるため、長時間イヤホンを使用すると耳に不快感を与えてしまう。
【考案の概要】
【考案が解決しようとする課題】
【０００３】
本考案携帯電話用音導式イヤホンの主な目的は、改良を加えたイヤホンの提供にある。それは、耳部に近い構造を、柔軟性に富み、軽い質感を有し、内部に金属信号線或いは硬質物質を含まない音導管及び耳栓部分によって構成する。これにより、イヤホンを長時間使用しても、耳に不快感を与えることはない。
【課題を解決するための手段】
【０００４】
上述の目的を達成するために、本考案のイヤホンは具体的に、本体と、音導管と、耳栓部分を含む。本体の内部には電子回路ユニットを備え、電子回路ユニットは音声を発する発声ユニットに接続する。発声ユニットにより生じた音波をもう一方の相対する一端に伝える音導管の一端は、発声ユニットに接続し、音導管は中空管体とする。伝送の働きをし音声出口となる耳栓部分は、音導管の末端に接続し、耳栓部分は中空構造とする。
【０００５】
好ましくは、本体の前端には信号線、プラグの順に接続し、プラグは、携帯電話の差込口に挿入し、これにより、携帯電話の音声を信号線及びプラグを用いて有線方式で本体に伝える。
【０００６】
好ましくは、本体の内部には電子回路ユニットを備え、具体的に回路板及び関連電子部品を含み、音聲等信号の処理を行う。
【０００７】
好ましくは、本体に設けたボタンは、発話の送受信をコントロールするのに用いる。
【０００８】
好ましくは、本体の電子回路ユニットは、音声受信ユニットに接続し、マイクである音声受信ユニットは、音声受信作用を果たす。
【０００９】
好ましくは、本体の電子回路ユニットは発声ユニットに接続し、発声ユニットは発話者の音声を発するスピーカーである。
【００１０】
好ましくは、発声ユニットは螺旋管に接続し、螺旋管は中空状である。螺旋管の作用は、音声を効果的に長距離伝送し、尚且つ音の損失を減少させる機能を有する。
【００１１】
好ましくは、螺旋管を直管に変更する。
【００１２】
好ましくは、螺旋管の一端と発声ユニットを接続し、もう一方の相対する一端を音導管に接続する。
【００１３】
好ましくは、音導管を中空管体とし、音波を一端からもう一方の相対する一端に伝える。
【００１４】
好ましくは、音導管は、軽量で柔軟な材質によって作製し、シリカゲル、ラバー、プラスチックの内の何れか一つとするが、これに制限されないものとする。
【００１５】
好ましくは、音導管の末端に耳栓部分を接続し、中空構造である耳栓部分は、音声を伝える働きをする。
【００１６】
好ましくは、耳栓部分は、軽量で柔軟な材質によって作製し、シリカゲル、ラバー、プラスチックの内の何れか一つとするが、これに制限されないものとする。
【００１７】
好ましくは、螺旋管、音導管、耳栓部分の内の何れか一つの内側面に、反射材料を塗布し、その作用は、音波の伝送を助け、音の損失を減少させることにある。
【００１８】
もう一つの好ましい実施例は、前記本体には信号線とプラグを接続せず、電子回路ユニット中に設置したコードレス送受信ユニットによって、携帯電話とのコードレス信号伝送を行うことができる。前記コードレス送受信ユニットは、コードレスモジュール、ブルートゥースモジュール、或いは赤外線モジュールである。
【考案の効果】
【００１９】
本考案の効果は次のとおりである。即ち、本考案の音導管と耳栓部分は何れも中空の軟性材料によって作製するため、柔軟性、快適性に優れ、軽量材質等の長所を有し、長時間耳に使用しても、不快感を感じさせない。本考案の携帯電話用音導式イヤホンは、従来構造と比較し更に快適性があり、長時間使用のニーズに応じたイヤホン構造であるため、実際の要望を満足させることができる。
【図面の簡単な説明】
【００２０】
【図１】本考案の一部分解立体図である。
【図２】本考案の一部断面構造図である。
【図３】本考案の実施例（２）である。
【図４】本考案の実施例（３）である。
【考案を実施するための形態】
【００２１】
次に開示する実施例は、単に本考案の目的と好ましい実施例の説明であり、本考案の実施範囲を制限するものではない。
【００２２】
図１及び図２に示すとおり、本考案の有線型の携帯電話用音導式イヤホンは、プラグ１、信号線２、本体３、発声ユニット４、音導管５、及び耳栓部分６を含む。
【００２３】
そのうち、プラグ１は、携帯電話の差込口（未図示）に挿入するのに用いる。
【００２４】
信号線２は、一端をプラグ１に接続し、携帯電話の信号を伝送する。
【００２５】
本体３は、内部に電子回路ユニット３１を含み、電子回路ユニット３１の一端と信号線２の一端を接続する。電子回路ユニット３１は信号線２の信号処理を行う。また、本体３に設けたボタン３２によって、発話の送受信をコントロールできる。また、電子回路ユニット３１には音声受信ユニット３３を接続し、音声受信ユニット３３を音声受信作用を備えたマイクとする。
【００２６】
発声ユニット４は、電子回路ユニット３１と電気的に接続する。発声ユニット４は音声を発することができ、発声ユニット４はスピーカーである。発声ユニット４は螺旋管４１に接続し、螺旋管４１は中空状である。
【００２７】
音導管５は、一端を発声ユニット４に接続し、音導管５は中空管体であり、音波を一端から別の相対する一端に伝える。音導管５は、軽量で柔軟な材質によって作製され、シリカゲル、ラバー、プラスチックの内の何れか一つとするが、これに制限されないものとする。
【００２８】
耳栓部分６は、音導管５の末端に接続し、中空構造である耳栓部分６は、音声を伝える働きをする。耳栓部分６は、軽量で柔軟な材質によって作製され、シリカゲル、ラバー、プラスチックの内の何れか一つとするが、これに制限されないものとする。
【００２９】
前記螺旋管４１、音導管５、耳栓部分６の内の何れか一つの内側面に、反射材料４１１、５１を塗布し、その作用は、音波の伝送を助け、音の損失を減少させることにある。
【００３０】
前記構造を用いて、携帯電話を使用する場合、相手の発話する音声信号はプラグ１、信号線２を介して本体３に送られ、電子回路ユニット３１によって電子信号が音声に変換されて発声ユニット４から発せられる。音波は音導管５を経て伝送され、最後に耳栓部分６から発せられる。
【００３１】
本考案の音導管５と耳栓部分６は何れも軟性材料によって作製され、内部にもいかなる金属線材や硬質材料を備えていないため、長時間使用しても、耳に不快感を与えることがない。
【００３２】
本考案の第二実施例はコードレス伝送方式を採用した。図３に示すとおり、本体３中に設置したコードレス送受信ユニット３４は、携帯電話とコードレス信号伝送を行うことができ、少なくともコードレスモジュール、ブルートゥースモジュール或いは赤外線モジュールを含む。
【００３３】
本考案の第三実施例は、図４に示すとおり、前記螺旋管４１を直管５２に変更した。
【符号の説明】
【００３４】
１           プラグ
２           信号線
３      本体
３１    電子回路ユニット
３２    ボタン
３３    音声受信ユニット
３４    コードレス送受信ユニット
４      発声ユニット
４１    螺旋管
４１１  反射材料
５      音導管
５１    反射材料
５２    直管
６      耳栓部分
【図１】
0003180011.tif 000003
【図２】
0003180011.tif 000004
【図３】
0003180011.tif 000005
【図４】
0003180011.tif 000006